(57)【要約】  スマートフォン等と付属装置との不十分な接触を検出できる電子装置を提供する。本電子装置は、他の電子装置との接続状態に応じて導電性が変化する接点と、接点と他の電子装置との接触時に接点の導電性を示す値を取得する取得部と、取得された導電性を示す値とあらかじめ定められた基準値とに基づいて電子装置と他の電子装置との電気的な接続が十分か否かを判断する判断部と、を備える。
2016031073.tif 000002
【特許請求の範囲】
【請求項１】
他の電子装置と電気的に接続される電子装置であって、
前記他の電子装置との接続状態に応じて導電性が変化する接点と、
前記接点と前記他の電子装置との接触時に前記接点の導電性を示す値を取得する取得部と、
前記取得された導電性を示す値とあらかじめ定められた基準値とに基づいて前記電子装置と前記他の電子装置との電気的な接続が十分か否かを判断する判断部と、を備える、
電子装置。
【請求項２】
前記接点と前記他の電子装置との接触時に前記他の電子装置と接触する第２接点と、
前記電子装置と前記他の電子装置との電気的な接続が十分でないと判断されたときに、前記他の電子装置への前記第２接点を通じた給電の制限状態を維持する制御部と
をさらに備える請求項１に記載の電子装置。
【請求項３】
前記接点と前記他の電子装置との接触時に前記他の電子装置と接触する第２接点と、
前記電子装置と前記他の電子装置との電気的な接続が十分でないと判断されたときに、前記他の電子装置へ前記第２接点を通じて行われている給電を停止する制御部と
をさらに備える請求項１に記載の電子装置。
【請求項４】
前記接点と前記他の電子装置との接触時に前記他の電子装置と接触する第２接点と、
前記電子装置と前記他の電子装置との電気的な接続が十分でないと判断されたときに、前記他の電子装置への前記第２接点を通じたデータ通信の制限状態を維持する制御部と
をさらに備える請求項１に記載の電子装置。
【請求項５】
前記接点と前記他の電子装置との接触時に前記他の電子装置と接触する第２接点と、
前記電子装置と前記他の電子装置との電気的な接続が十分でないと判断されたときに、前記他の電子装置へ前記第２接点を通じて行われているデータ通信を停止する制御部と
をさらに備える請求項１に記載の電子装置。
【請求項６】
前記接点と前記他の電子装置との接触時に前記他の電子装置と接触する第２接点と、
前記他の電子装置の接近を検出するセンサと、
前記センサによって前記他の電子装置の接近が検出された場合に前記第２接点に対する通電が制限された状態で前記接点への通電を開始する制御部と、
をさらに備え、
前記取得部は、前記接点への通電時における前記接点の導電性を示す値を取得する
請求項１に記載の電子装置。
【請求項７】
前記電子装置は前記接点を２つ備え、前記接点および前記第２接点は直線状に配置され、複数の第２接点の両側に前記接点が配置される、
請求項２から請求項６のいずれか一項に記載の電子装置。
【請求項８】
前記導電性は、前記接点のインピーダンスであり、
前記導電性を示す値は、前記接点にかかる電圧の電圧値である、
請求項１から請求項７のいずれか一項に記載の電子装置。
【請求項９】
他の電子装置との接触状態に応じて導電性が変化する接点の導電性を示す値が入力される入力部と、
前記入力された値とあらかじめ定められた基準とに基づいて、前記接触状態を判断する判断部と、を備える、
電子部品。
【発明の詳細な説明】
【技術分野】
【０００１】
本発明は、電子装置および電子部品に関する。
【背景技術】
【０００２】
近年広く使用されるようになったタブレットＰＣあるいはスマートフォン等の可搬性を有する電子装置（モバイル端末、以下、スマートフォン等と称する）は、充電等を行う際に、クレードルあるいはドッキングステーションに例示される付属装置に接続されることが多い。スマートフォン等と付属装置とは、各々に設けられたコネクタの接点が接触することで、電気的に接続される。そこで、スマートフォン等と付属装置との接続、未接続を確認する方法が提案されている（例えば、特許文献１）。
【先行技術文献】
【特許文献】
【０００３】
【特許文献１】特開２０１３−０８０５２３号公報
【発明の概要】
【発明が解決しようとする課題】
【０００４】
しかしながら、スマートフォン等と付属装置とが電気的に接続されている場合であっても、スマートフォン等の接点と付属装置の接点との接触が不十分な場合がある。接点間の接触が不十分な場合、スマートフォン等と付属装置との間の電力の授受等に不良が生じる虞がある。【０００５】
そこで、開示の技術の１つの側面は、他の電子装置との不十分な接続を検出できる電子装置を提供することを課題とする。
【課題を解決するための手段】
【０００６】
開示の技術の１つの態様は、次のような電子装置である。
本電子装置は、他の電子装置との接続状態に応じて導電性が変化する接点と、前記他の電子装置との接続時に前記接点の導電性を示す値を取得する取得部と、取得された導電性を示す値とあらかじめ定められた基準値とに基づいて前記他の装置との接続状態を判断する判断部と、を備える。
【発明の効果】
【０００７】
開示の技術の１つの態様によれば、他の電子装置との不十分な接続を検出できる。
【図面の簡単な説明】
【０００８】
【図１】スマートフォンの外観構成の一例を示す図である。
【図２】クレードルの外観構成の一例を示す図である。
【図３】クレードルにスマートフォンが載置された状態の一例を示す図である。
【図４】スマートフォンのハードウェア構成の一例を示す図である。
【図５】スマートフォンの底面（下面）に設けられたコネクタを模式的に示す図である。
【図６】クレードルのハードウェア構成の一例を示す図である。
【図７】クレードルのコネクタの一例を示す図である。
【図８】ばね接点の高さとばね接点にかけられた荷重の関係の一例を示す図である。
【図９Ａ】スマートフォンとクレードルの接続部分を拡大した図の一例である。
【図９Ｂ】スマートフォンとクレードルの接続部分を拡大した図の一例である。
【図１０Ａ】クレードルへのスマートフォンの接続状態を判断する回路の一例を示す図である。
【図１０Ｂ】正常な接続と判断される電圧値の範囲の一例を示す図である。
【図１０Ｃ】正常な接続と判断される電圧値の範囲の一例を示す図である。
【図１１】クレードルへのスマートフォンの接続状態を判断するスマートフォンの処理フローの一例を示す図である。
【図１２】スマートフォンの接点とクレードルの接点との不十分な接触を検出する処理フローの一例を示す図である。
【図１３】クレードルへのスマートフォンの接続状態を判断するクレードルの処理フローの一例を示す図である。
【発明を実施するための形態】
【０００９】
以下、図面を参照して、電子装置の実施形態について説明する。以下に示す実施形態の構成は例示であり、電子装置は実施形態の構成に限定されない。
【００１０】
＜実施形態＞
実施形態では、「電子装置」の一例としてスマートフォンを適用し、「他の電子装置」の一例としてクレードルを適用した例について説明する。但し、「電子装置」は、スマートフォンに限定されず、タブレットＰＣ、フィーチャーフォンのようなモバイル端末を含む。「他の電子装置」は、クレードルに限定されず、ドッキングステーションのような付属装置を含む。但し、上述したモバイル端末が「他の電子装置」の一例に相当し、上述した付属装置が「電子装置」の一例に相当する場合もある。
【００１１】
スマートフォンおよびクレードルは、両者の電気的な接続状態を検出することができる。本実施形態に係るスマートフォンおよびクレードルは、互いの電気的な接点を接触させることで電気的に接続される。スマートフォンおよびクレードルは、両者の接続時に当該接点にかかる電圧の電圧値に基づき、スマートフォンおよびクレードルの電気的な接続状態を判断する。スマートフォンは、例えば、充電、あるいは外部装置との通信等の場合にクレードルに載置される。
【００１２】
図１は、スマートフォン１００の外観構成の一例を示す図である。図１（Ａ）は、スマートフォン１００の正面図である。図１（Ｂ）は、スマートフォン１００の下面を平面視した図である。スマートフォン１００は、例えば、防水機能を有する。スマートフォン１００は、Liquid Crystal Display（ＬＣＤ）／タッチパネル１０１、インカメラ１０２およびコネクタ（メス型コネクタ）１０３を備える。ＬＣＤ／タッチパネル１０１は、ディスプレイとして様々な情報を表示する。また、ＬＣＤ／タッチパネル１０１は、入力装置としてユーザの指等によるタッチ操作を受け付ける。インカメラ１０２は、例えば、光学カメラである。コネクタ１０３は、スマートフォン１００の下部に設けられ、クレードル２００との接続に用いられる。コネクタ１０３の詳細は後述する。
【００１３】
図２は、クレードル２００の外観構成の一例を示す図である。クレードル２００には、スマートフォン１００が載置される。クレードル２００は、載置されたスマートフォン１００への充電あるいはパーソナルコンピュータ（ＰＣ）等の外部装置とのデータ通信手段を提供する。クレードル２００は、本体２０１と、メカスイッチ２００ｅと、コネクタ（オス型コネクタ）２０３とを備える。本体２０１は、ベース２０１ａと、ベースに載置されたスマートフォン１００を支持する背面板２０１ｂとを含む。メカスイッチ２００ｅは、ベース２０１ａ上に突出する状態で設けられており、載置されるスマートフォン１００によって押下されることで、クレードル２００へのスマートフォン１００の載置を検出する。コネクタ２０３は、スマートフォン１００のコネクタ１０３と電気的に接続される。
【００１４】
図３は、クレードル２００にスマートフォン１００が載置された状態の一例を示す図である。図３に例示されるように、スマートフォン１００は、クレードル２００のベース２０１ａに載置されることで、スマートフォン１００のコネクタ１０３とクレードル２００のコネクタ２０３とが接続される。スマートフォン１００は、クレードル２００に載置されることで、クレードル２００に接続された各種外部装置を利用できる。クレードル２００に接続されるAlternating Current（ＡＣ）電源によって、スマートフォン１００は充電される。
【００１５】
図４は、スマートフォン１００のハードウェア構成の一例を示す図である。スマートフォン１００は、Central Processing Unit（ＣＰＵ）１００ａ、液晶ディスプレイ１００ｂ、タッチパネル１００ｃ、マイコン１００ｄ、Magneto Resistive（ＭＲ）センサ１００ｅ、主記憶部１００ｆ、補助記憶部１００ｇおよびコネクタ１０３を含む。ＣＰＵ１００ａ、液晶ディスプレイ１００ｂ、タッチパネル１００ｃ、マイコン１００ｄ、主記憶部１００ｆ、補助記憶部１００ｇおよびコネクタ１０３は、接続バスＢ１によって相互に接続されている。ＭＲセンサ１００ｅは、接続バスＢ２によってマイコン１００ｄと相互に接続されている。
【００１６】
スマートフォン１００では、ＣＰＵ１００ａが補助記憶部１００ｇに記憶されたプログラムを主記憶部１００ｆの作業領域に展開し、プログラムの実行を通じて周辺装置の制御を行う。これにより、スマートフォン１００は、所定の目的に合致した処理を実行することができる。主記憶部１００ｆおよび補助記憶部１００ｇは、スマートフォン１００（「コンピュータ」の一例）が読み取り可能な記録媒体である。
【００１７】
主記憶部１００ｆは、ＣＰＵ１００ａから直接アクセスされる記憶装置の一例である。主記憶部１００ｆは、例えば、Random Access Memory（ＲＡＭ）およびRead Only Memory（ＲＯＭ）を含む。
【００１８】
補助記憶部１００ｇは、各種のプログラムおよび各種のデータを読み書き自在に記録媒体に格納する。補助記憶部１００ｇは外部記憶装置とも呼ばれる。補助記憶部１００ｇには、オペレーティングシステム（Operating System、ＯＳ）、各種プログラム、各種テーブル等が格納される。ＯＳは、コネクタ１０３等を介して接続される外部装置等とのデータの受け渡しを行う通信インターフェースプログラムを含む。外部装置等には、例えば、クレードル２００に接続された、ＰＣ等の情報処理装置および外部記憶装置が含まれる。なお、補助記憶部１００ｇは、例えば、ネットワーク上のコンピュータ群であるクラウドシステムの一部であってもよい。
【００１９】
補助記憶部１００ｇは、例えば、Erasable Programmable ROM（ＥＰＲＯＭ）、ソリッドステートドライブ（Solid State Drive、ＳＳＤ）、ハードディスクドライブ（Hard Disk Drive、ＨＤＤ）等である。また、補助記憶部１００ｇは、例えば、Compact Disc（ＣＤ）ドライブ装置、Digital Versatile Disc（ＤＶＤ）ドライブ装置、Blu-ray（登録商標）  Disc（ＢＤ）ドライブ装置等である。また、補助記憶部１０３は、Network Attached Storage（ＮＡＳ）あるいはStorage Area Network（ＳＡＮ）によって提供されてもよい。
【００２０】
コンピュータが読み取り可能な記録媒体とは、データやプログラム等の情報を電気的、磁気的、光学的、機械的、または化学的作用によって蓄積し、スマートフォン１００から読み取ることができる記録媒体をいう。このような記録媒体のうちスマートフォン１００がクレードル２００を介して使用可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、スマートフォン１００に固定された記録媒体としてハードディスク、ＳＳＤあるいはＲＯＭ等がある。
【００２１】
液晶ディスプレイ１００ｂには、ＣＰＵ１００ａで処理されるデータや主記憶部１０２に記憶されるデータが出力される。液晶ディスプレイ１００ｂは、例えば、ＬＣＤである。液晶ディスプレイ１００ｂは、Plasma Display Panel（ＰＤＰ）、Electroluminescence（ＥＬ）パネル、有機ＥＬパネルであってもよい。
【００２２】
タッチパネル１００ｃは、ユーザによるタッチ操作を受け付ける。タッチ操作は、タッチパネル１００ｃに指を接触させるタップ、タッチパネル１００ｃに接触させた指を払うように動かすフリックあるいはタッチパネル１００ｃに接触させた指を掃くように動かすスワイプを含む。タッチパネル１００ｃによるタッチの検出方式は、ユーザのタッチ操作を検出できればどのような方式であってもよい。タッチパネル１００ｃによるタッチの検出方式には、例えば、マトリックス・スイッチ方式、抵抗膜方式、表面弾性波方式あるいは静電容量方式が適用可能である。ＬＣＤ／タッチパネル１０１は、液晶ディスプレイ１００ｂおよびタッチパネル１００ｃを含む。
【００２３】
マイコン１００ｄは、マイクロコントローラである。マイコン１００ｄは、演算回路および記憶装置を含む。マイコン１００ｄは、図５に記載されている接点１０３ｂの電圧値を取得することで、スマートフォン１００とクレードル２００との接続状態を判断する。また、マイコン１００ｄは、クレードル２００のマイコン２００ｄとコネクタ１０３を介して通信することで、充電に用いられる電圧等の情報を通知する。マイコン１００ｄは、「電子部品」の一例である。
【００２４】
ＭＲセンサ１００ｅは、磁場により電気抵抗が変化する磁気抵抗素子を利用したセンサである。ＭＲセンサ１００ｅは、クレードル２００に設けられた磁石からの磁場を検出することでスマートフォン１００とクレードル２００との接近を検出する。ＭＲセンサ１００ｅは、「他の電子装置の接近を検出するセンサ」の一例である。なお、ＭＲセンサはセンサの例示であり、他の電子装置の接近を検出できる限り、センサの検出原理を問わない。
【００２５】
コネクタ１０３がクレードル２００のコネクタ２０３と電気的に接続されることで、スマートフォン１００とクレードル２００とが通信可能な状態となる。図５は、スマートフォン１００の底面（下面）に設けられたコネクタ１０３を模式的に示す図である。図５は、スマートフォン１００の下面を平面視した図となっている。コネクタ１０３は、表面が平面に形成され、コネクタ２０３が備える複数の端子（接点）２０３ａおよび２０３ｂ（図７を参照）に対応する複数の接点１０３ａおよび複数の接点１０３ｂを備えている。図５では、接点１０３ａを黒円で模式的に図示し、接点１０３ｂを白円で模式的に図示している。接点１０３ａおよび接点１０３ｂは、直線状に配置され、複数の接点１０３ａの両側に接点１０３ｂが配置されている。接点１０３ｂは、スマートフォン１００とクレードル２００との接続状態を検知又は検出するために使用される。接点１０３ａは、スマートフォン１００とクレードル２００との通信（データの送受信）や、スマートフォン１００およびクレードル２００の一方から他方への電力供給に使用される。換言すれば、コネクタ１０３ａは、電力供給用接点およびデータ通信用接点として使用される。なお、コネクタ１０３とスマートフォン１００の筐体との間には止水処理が施され、コネクタ１０３の周囲から筐体内部へ水が浸入しないようにされている。
【００２６】
接点１０３ｂの各々は、図４に例示されるマイコン１００ｄに接続されており、接点１０３ｂと、クレードル２００側の接点２０３ｂとが接触したときの電圧がマイコン１００ｄによって取得される。接点１０３ｂにかかる電圧は、クレードル２００に搭載されているマイコン２００ｄに電力が供給されている場合およびマイコン２００ｄに電力が供給されていない場合のそれぞれにおいて、相異なる一定範囲に収まるように調整されている。接点１０３ｂは、「他の電子装置との接触状態に応じて導電性が変化する接点」の一例である。接点１０３ａは、「第２接点」の一例である。
【００２７】
図６は、クレードル２００のハードウェア構成の一例を示す図である。クレードル２００は、外部ディスプレイインターフェース（Interface（Ｉ／Ｆ）２００ａ、コネクタ２０３、Universal Serial Bus インターフェース（Interface（ＵＳＢ  Ｉ／Ｆ）２００ｂ、Local Area Network インターフェース（Interface（ＬＡＮ  Ｉ／Ｆ）２００ｃ、マイコン２００ｄおよびメカスイッチ（ＳＷ）２００ｅを備える。外部ディスプレイＩ／Ｆ２００ａ、コネクタ２０３、ＵＳＢ  Ｉ／Ｆ２００ｂ、ＬＡＮ  Ｉ／Ｆ２００ｃ、マイコン２００ｄは、相互に接続バスＢ３によって接続されている。メカスイッチ（機械スイッチ）２００ｅは、接続バスＢ４によってマイコン２００ｄと相互に接続されている。
【００２８】
外部ディスプレイＩ／Ｆ２００ａ、ＵＳＢ  Ｉ／Ｆ２００ｂおよびＬＡＮ  Ｉ／Ｆ２００ｃは外部装置とのインターフェースである。外部ディスプレイＩ／Ｆ２００ａ、ＵＳＢ  Ｉ／Ｆ２００ｂおよびＬＡＮ  Ｉ／Ｆ２００ｃに接続された外部装置は、クレードル２００と接続されたスマートフォン１００から利用可能である。
【００２９】
コネクタ２０３は、スマートフォン１００のコネクタ１０３と接続されることで、スマートフォン１００とクレードル２００とを電気的に接続し、両者間における通信や電力の授受を可能とする。図７は、クレードル２００のコネクタ２０３の一例を示す図である。コネクタ２０３は、コネクタ１０３の接点１０３ａおよび接点１０３ｂに対応する複数の端子（接点）２０３ａおよび複数の端子（接点）２０３ｂを有する。接点２０３ａおよび接点２０３ｂは、弾性力を利用した接点であり、例えば、ばね接点である。接点２０３ａおよび接点２０３ｂは、上下方向に進退自在となっている。接点２０３ａおよび接点２０３ｂは、コネクタ１０３との接触により押圧されることで、下方へ沈み込む。これに対し、コネクタ１０３との接触が開放されると、ばねの付勢力（復元力）によって上方へ突出するようになっている。各接点２０３ａおよび２０３ｂがコネクタ１０３の接点１０３ａおよび接点１０３ｂと接触することで、スマートフォン１００とクレードル２００とは電気的に接続される。接点２０３ａは、接点１０３ａとの接触を通じてデータ通信や電力授受のために使用される。換言すれば、接点１０３ａは、電源供給用接点およびデータ通信用接点として使用される。接点２０３ａおよび接点２０３ｂは、直線状に配置され、複数の接点２０３ａの両側に接点２０３ｂが配置されている。接点２０３ｂは、マイコン２００ｄに接続されている。接点２０３ｂにかかる電圧は、スマートフォン１００に搭載されているマイコン１００ｄに電力が供給されている場合およびマイコン１００ｄに電力が供給されていない場合のそれぞれにおいて、相異なる一定範囲に収まるように調整されている。なお、図７に示す例では、逆Ｕ字状の接点２０３ａおよび接点２０３ｂが図示されているが、接点２０３ａおよび２０３ｂの上端部の形状は、直線状（棒状）であっても良く、他の形状であっても良い。接点２０３ｂは、「他の電子装置との接触状態に応じて導電性が変化する接点」の一例である。接点２０３ａは、「第２接点」の一例である。接点２０３ｂは、「接点」の一例である。
【００３０】
クレードル２００は、図示しないバッテリをさらに備えてもよい。クレードル２００は、バッテリを備えることで、ＡＣ電源に接続されていない場合でも、スマートフォン１００に電力を供給できる。また、ＡＣ電源に接続されたスマートフォン１００が、クレードル２００に備えられているバッテリを充電する事も可能である。スマートフォン１００がバッテリ（図示せず）を有していることはもちろんである。
【００３１】
マイコン２００ｄは、マイクロコントローラである。マイコン２００ｄは、演算回路および記憶装置を含む。マイコン２００ｄは、接点２０３ｂにかかる電圧を取得することで、スマートフォン１００とクレードル２００との接続状態を判断する。また、マイコン２００ｄは、コネクタ２０３を介してスマートフォン１００のマイコン１００ｄと通信することで、スマートフォン１００ｄに供給する電源の電圧等の情報を取得する。マイコン２００ｄは、「電子部品」の一例である。
【００３２】
メカスイッチ２００ｅは、機械式のスイッチである。メカスイッチ２００ｅは、図示しない電気接点を有し、クレードル２００に載置されるスマートフォン１００によって押下されることで、電気接点がオン状態となり、スマートフォン１００とクレードル２００との接近を検出する。メカスイッチ２００ｅは、「他の電子装置の接近を検出するセンサ」の一例である。なお、メカスイッチはセンサの例示であり、他の電子装置の接近を検出できる限り、センサの検出原理を問わない。
【００３３】
図８は、ばね接点の高さとばね接点にかけられた荷重の関係の一例を示す図である。図８において、ばね接点は、クレードル２００の接点２０３ａおよび接点２０３ｂである。図８の縦軸は、ばね接点にかけられた荷重を示す。荷重の単位はＮ（ニュートン）である。図８の横軸は、ばね接点の高さを示す。ばね接点の高さの単位はｍｍ（ミリメートル）である。ばね接点のインピーダンスは、スマートフォン１００（コネクタ１０３）によるばね接点への押圧力によってばね接点の高さが変動することによって変動する。ばね接点の高さ（荷重）が所定範囲であるとき、インピーダンスは、スマートフォン１００とクレードル２００との良好な接続状態を示す範囲となる。図８の斜線部３００は、スマートフォン１００とクレードル２００との接続が良好と判断される範囲を例示している。図８の例では、ばね接点の高さが０．８ｍｍ〜０．３ｍｍの範囲にあれば、スマートフォン１００とクレードル２００との電気的な接続が良好であると判断される。インピーダンスは、「接点の導電性」の一例である。
【００３４】
図９Ａおよび図９Ｂは、スマートフォン１００とクレードル２００の接続部分を拡大した図の一例である。図９Ａおよび図９Ｂでは、スマートフォン１００およびクレードル２００が図３に例示するように正常に接続された状態における、スマートフォン１００のコネクタ１０３およびクレードル２００のコネクタ２０３が例示されている。図９Ａでは、スマートフォン１００（コネクタ１０３）とクレードル２００（コネクタ２０３）とが略平行となっており、クレードル２００の接点２０３ａおよび接点２０３ｂの各々にかかる荷重は均等になっている。そのため、図９Ａの場合、コネクタ１０３およびコネクタ２０３の各接点２０３ａおよび２０３ｂはコネクタ１０３からの均等な荷重を受けて均等に沈み込んだ状態で対応する接点１０３ａ，１０３ｂと接触する。図９Ｂでは、スマートフォン１００（コネクタ１０３）が傾いた状態で、クレードル２００と接続されている。そのため、図９Ｂ丸で囲った部分のように、コネクタ１０３とコネクタ２０３の各々の接点の接触が弱い部分が生じる。このような部分では、不十分な接点間の接触によりインピーダンスが増加する虞がある。そのため、スマートフォン１００およびクレードル２００間の電力の授受等に不良が生じる虞がある。
【００３５】
図１０Ａは、クレードル２００へのスマートフォン１００の接続状態を判断する回路の一例を示す図である。図１０Ａにおいて、点線部４００の上側は、スマートフォン１００の回路を例示している。また、点線部４００の下側は、クレードル２００の回路を例示している。
【００３６】
図１０Ａに例示されているスマートフォン１００の回路は、接点１５１、接点１５２、端子１５３、端子１５４、抵抗１５５、抵抗１５６、抵抗１５７、抵抗１５８、複数のダイオード１５９およびスイッチ１６０を有する。図１０Ａに例示されているクレードル２００の回路は、接点２５１、接点２５２、端子２５３、端子２５４、抵抗２５５、抵抗２５６、抵抗２５７、抵抗２５８、複数のダイオード２５９およびスイッチ２６０を有する。
【００３７】
接点１５１および接点１５２は、接点１０３ｂ，１０３ｂに相当する。また、接点２５１および接点２５２は、接点２０３ｂ，２０３ｂに相当する。すなわち、図１０Ａでは、点線４００の位置でスマートフォン１００の接点１０３ｂとクレードル２００の接点２０３ｂとが接触している。
【００３８】
図１０Ａでは、スマートフォン１００の接点１５１に関して取得される電圧値はDOCK_DET#1と定義され、接点１５２に関して取得される電圧値はDOCK_DET#2と定義されている。また、クレードル２００の接点２５１に関して取得される電圧値はDOCK_DET#3と定義され、接点２５２に関して取得される電圧値はDOCK_DET#4と定義されている。端子１５３および端子１５４は、スマートフォン１００のマイコン１００ｄに接続されている。マイコン１００ｄは、端子１５３および端子１５４を介して、DOCK_DET#1およびDOCK_DET#2をそれぞれ取得する。端子２５３および端子２５４は、クレードル２００のマイコン２００ｄに接続されている。マイコン２００ｄは、端子２５３および端子２５４を介して、DOCK_DET#3およびDOCK_DET#4をそれぞれ取得する。DOCK_DET#1、DOCK_DET#2、DOCK_DET#3およびDOCK_DET#4は、「導電性を示す値」の一例である。端子１５３および端子１５４に接続されたマイコン１００ｄは、「入力部」の一例である。端子２５３および端子２５４に接続されたマイコン２００ｄは、「入力部」の一例である。
【００３９】
接点１５１に関して取得される電圧値、すなわちDOCK_DET#1は、例えば１００Ωの抵抗１５５および例えば２２０Ωの抵抗１５７による抵抗分割によって、以下の１−１から１−３の３パターンの各々で異なる値となるように調整されている。
パターン１−１：  スマートフォン１００とクレードル２００とが接続されていない場合。
パターン１−２：  スマートフォン１００とクレードル２００が接続されており、クレードル２００のマイコン２００ｄに電力が供給されていない場合。
パターン１−３：  スマートフォン１００とクレードル２００が接続されており、クレードル２００のマイコン２００ｄに電力が供給されている場合。
【００４０】
接点１５２に関して取得される電圧値、すなわちDOCK_DET#2は、例えば１００Ωの抵抗１５６および例えば２２０Ωの抵抗１５８による抵抗分割によって、上述の１−１から１−３の３パターンの各々で異なる値となるように調整されている。
【００４１】
クレードル２００の接点２５１に関して取得される電圧値、すなわちDOCK_DET#3は、例えば１００Ωの抵抗２５５および例えば１００Ωの抵抗２５７による抵抗分割によって、以下の２−１から２−３の３パターンの各々で異なる値となるように調整されている。
パターン２−１：  スマートフォン１００とクレードル２００とが接続されていない場合。
パターン２−２：  スマートフォン１００とクレードル２００が接続されており、スマートフォン１００のマイコン１００ｄに電力が供給されていない場合。
パターン２−３：  スマートフォン１００とクレードル２００が接続されており、スマートフォン１００のマイコン１００ｄに電力が供給されている場合。
【００４２】
接点２５２に関して取得される電圧値、すなわちDOCK_DET#4は、例えば１００Ωの抵抗２５６および例えば１００Ωの抵抗２５８による抵抗分割によって、上述の２−１から２−３の３パターンの各々で異なる値となるように調整されている。
【００４３】
スマートフォン１００のCRDL_DTPWR#信号１６１は、ＭＲセンサ１００ｅによってスマートフォン１００とクレードル２００との接近が検出されたことに応じてスイッチ１６０をオンオフさせる信号である。ＭＲセンサ１００ｅがクレードル２００を検出していない場合、信号１６１の信号レベルはＨｉｇｈである。これに対し、ＭＲセンサ１００ｅによってスマートフォン１００とクレードル２００との接近が検出されると、CRDL_DTPWR#信号１６１の信号レベルはＬＯＷとなる。この制御はマイコン１００ｄによってなされる。CRDL_DTPWR#信号１６１の信号レベルがＬＯＷにされると、スイッチ１６０がオンとなる。スイッチ１６０がオンになると、プルアップ電源（P_3V_MCU）１６２からの電力がダイオード１５９側に供給される。また、図１０Ａに例示されるスマートフォン１００の回路には、回路に流れる電流を整流する複数のダイオード１５９が設けられている。マイコン１００ｄは、各端子１５３および１５４からの出力電圧（DOCK_DET#1, DOCK_DET#2）を測定する。
【００４４】
クレードル２００のDOCK_DTPWR信号２６１は、メカスイッチ２００ｅによってスマートフォン１００とクレードル２００との接近が検出されたことに応じてスイッチ２６０をオンオフさせる信号である。ＭＲセンサ１００ｅがクレードル２００を検出していない場合、DOCK_DTPWR信号２６１の信号レベルはＨｉｇｈである。これに対し、メカスイッチ２００ｅによってスマートフォン１００とクレードル２００との接近が検出されると、DOCK_DTPWR信号２６１の信号レベルがＬＯＷになる。この制御はマイコン２００ｄによってなされる。DOCK_DTPWR信号２６１の信号レベルがＬＯＷにされると、スイッチ２６０がオンになる。スイッチ２６０がオンになると、プルアップ電源（P_3V_MCU）２６２からの電力が供給され、電力がダイオード２５９側へ供給される。また、図１０Ａに例示されるクレードル２００の回路には、回路に流れる電流を整流する複数のダイオード２５９が設けられている。マイコン２００ｄは、各端子２５３および２５４からの出力電圧（DOCK_DET#3, DOCK_DET#4）を測定する。
【００４５】
図１０Ｂは、端子１５３および端子１５４から取得される正常な接続と判断される電圧値の範囲の一例を示す図である。図１０Ａに示した回路は、パターン１−１，１−２，１−３において検出される電圧値が図１０Ｂに示す表の範囲となるように抵抗値が設定されている。後述する図１０Ｃにおいても同様である。図１０Ｂに示す例では、設定値に対して＋マイナス５％の範囲が正常な電圧の範囲とされている。但し、範囲の取り方は適宜設定可能である。図１０Ｂの「未接続」の行では、スマートフォン１００がクレードル２００に接続されていない場合において正常と判断される電圧値の範囲が例示されている。「未接続」の行では、電圧値の範囲として、１．３７Ｖ〜１．５２Ｖが例示されている。「未接続」の行は、上述のパターン１−１に対応している。図１０Ｂの「ドック接続  クレードルマイコンＯＦＦ」の行では、スマートフォン１００がクレードル２００に接続され、かつ、クレードル２００のマイコン２００ｄに電源が供給されていない場合において正常と判断される電圧値の範囲が示されている。図１０Ｂの「ドック接続  クレードルマイコンＯＦＦ」の行では、電圧値の範囲として、０．８１Ｖ〜０．９０Ｖの範囲が例示されている。図１０Ｂの「ドック接続  クレードルマイコンＯＦＦ」の行は、上述のパターン１−２に対応している。図１０Ｂの「ドック接続  クレードルマイコンＯＮ」の行では、スマートフォン１００がクレードル２００に接続され、かつ、クレードル２００のマイコン２００ｄに電源が供給されている場合において正常と判断される電圧値が示されている。図１０Ｂの「ドック接続  クレードルマイコンＯＮ」の行では、電圧値の範囲として、１．１５Ｖ〜１．２８Ｖが例示されている。図１０Ｂの「ドック接続  クレードルマイコンＯＮ」の行は、上述のパターン１−３に対応している。以下、本明細書において、図１０Ｂの「ドック接続  クレードルマイコンＯＦＦ」の行に例示されている電圧値の範囲を検出電圧２範囲、図１０Ｂの「ドック接続  クレードルマイコンＯＮ」の行に例示されている電圧値の範囲を検出電圧１範囲と称する。検出電圧１範囲および検出電圧２範囲の電圧値は、製品設計時等に試験等によって定められる。検出電圧１範囲および検出電圧２範囲の電圧値の情報は、例えば、マイコン１００ｄの記憶装置に記憶される。検出電圧１範囲および検出電圧２範囲は、「あらかじめ定められた基準」の一例である。
【００４６】
図１０Ｃは、端子２５３および端子２５４から取得される正常な接続と判断される電圧値の範囲の一例を例示す図である。図１０Ｃの「未接続」の行では、正常な電圧値の範囲として、０．９９Ｖ〜１．１１Ｖが例示されている。図１０Ｃの「未接続」の行は、上述のパターン２−１に対応している。図１０Ｃの「ドック接続  本体マイコンＯＦＦ」の行では、スマートフォン１００がクレードル２００に接続され、かつ、スマートフォン１００のマイコン１００ｄに電源が供給されていない場合において正常と判断される電圧値が例示されている。図１０Ｃの「ドック接続  本体マイコンＯＦＦ」の行では、電圧値の範囲として、０．８１Ｖ〜０．９０Ｖの範囲が例示されている。図１０Ｃの「ドック接続  本体マイコンＯＦＦ」の行は、上述のパターン２−２に対応している。図１０Ｃの「ドック接続  本体マイコンＯＮ」の行では、スマートフォン１００がクレードル２００に接続され、かつ、スマートフォン１００のマイコン１００ｄに電源が供給されている場合において正常と判断される電圧値が例示されている。図１０Ｃの「ドック接続  本体マイコンＯＮ」の行では、電圧値の範囲として、１．１５Ｖ〜１．２８Ｖが例示されている。図１０Ｃの「ドック接続  本体マイコンＯＮ」の行は、上述のパターン２−３に対応している。以下、本明細書において、図１０Ｃの「ドック接続  本体マイコンＯＦＦ」の行に例示されている電圧値の範囲を検出電圧４範囲、図１０Ｃの「ドック接続  本体マイコンＯＮ」の行に例示されている電圧値の範囲を検出電圧３範囲と称する。検出電圧３範囲および検出電圧４範囲の電圧値は、製品設計時等の試験等によって定められる。検出電圧３範囲および検出電圧４範囲の電圧値の情報は、例えば、マイコン２００ｄの記憶装置に記憶される。検出電圧３範囲および検出電圧４範囲は、「あらかじめ定められた基準」の一例である。
【００４７】
図１１は、クレードル２００へのスマートフォン１００の接続状態を判断するスマートフォンの処理フローの一例を示す図である。図１１では、図１０Ａと同様に、接点１０３ｂの一方で取得される電圧の電圧値はDOCK_DET#1と記載され、他方で取得される電圧の電圧値はDOCK_DET#2と記載されている。以下、図１１を参照して、クレードル２００への接続を検出するスマートフォン１００の処理フローが説明される。図１１に示す処理は、例えば、マイコン１００ｄによって実行される。
【００４８】
Ｔ１では、ＭＲセンサ１００ｅによって、スマートフォン１００とクレードル２００との接近が検出される。接近が検出されると、Ｔ２以下の処理フローが開始される。
【００４９】
Ｔ２では、接点１０３ｂのプルアップ電源（P_3V_MCU）１６２が有効にされる。具体的には、ＭＲセンサ１００ｅによって、スマートフォン１００とクレードル２００との接近が検出されると、マイコン１００ｄは、図１０のCRDL_DTPWR#信号１６１の信号レベルをＬＯＷに設定する。CRDL_DTPWR#信号１６１の信号レベルがＬＯＷに設定されることで、図１０のスイッチ１６０がオンとなる。スイッチ１６０がオンになることで、プルアップ電源（P_3V_MCU）１６２からの電力が回路に供給される。
【００５０】
Ｔ３では、DOCK_DET#1、すなわち、接点１０３ｂの一方の接点に係る電圧値がマイコン１００ｄによって取得（測定）される。マイコン１００ｄは、取得されたDOCK_DET#1をAnalog / Digital（Ａ／Ｄ）変換によってデジタル信号に変換する。マイコン１００ｄは、デジタル信号に変換された電圧値をDOCK_DET#1として取得する。取得されたDOCK_DET#1は、例えば、マイコン１００ｄの記憶装置に記憶される。また、Ｔ３では、ループカウンタとして使用する変数Ｎの値をインクリメントする。なお、変数Ｎの初期値は、例えば、０である。Ｔ３の処理を行うマイコン１００ｄは、「取得部」の一例である。
【００５１】
Ｔ４では、変数Ｎの値が３であるか確認する。Ｎの値が３である場合、処理はＴ５に進められる。Ｎの値が３ではない場合、処理はＴ３に進められる。なお、Ｔ３からＴ４のループは、ノイズ等の偶発的な理由により、マイコン１００ｄがDOCK_DET#1を誤検出することを避けるために行っている。
【００５２】
Ｔ５では、マイコン１００ｄは、Ｔ３で取得したDOCK_DET#1が検出電圧１範囲の範囲内であるか否かを判定する。DOCK_DET#1が検出電圧１範囲の範囲内である場合（Ｔ５でｙｅｓ）、処理はＴ６に進められる。DOCK_DET#1が検出電圧１範囲の範囲外である場合（Ｔ５でｎｏ）、処理はＴ７に進められる。
【００５３】
Ｔ６では、DOCK_DET#1が検出電圧１範囲の範囲内であることにより、マイコン１００ｄは、クレードル２００が電源オンの状態であると判断する。その後、処理がＴ１１に進む。
【００５４】
Ｔ７では、マイコン１００ｄは、Ｔ３で取得したDOCK_DET#1が検出電圧２範囲の範囲内であるか否かを判定する。DOCK_DET#1が検出電圧２範囲の範囲内である場合（Ｔ７でｙｅｓ）、処理はＴ８に進められる。DOCK_DET#が検出電圧２範囲の範囲外である場合（Ｔ７でｎｏ）、処理はＴ９に進められる。Ｔ５およびＴ７の処理を行うマイコン１００ｄは、「判断部」の一例である。
【００５５】
Ｔ８では、DOCK_DET#1が検出電圧１範囲の範囲外であり、かつ、検出電圧２範囲の範囲内であることにより、マイコン１００ｄは、クレードル２００が電源オフの状態であると判定する。その後、処理がＴ１１に進む。
【００５６】
Ｔ９では、DOCK_DET#1が検出電圧１範囲および検出電圧２範囲の範囲外であることにより、マイコン１００ｄは、スマートフォン１００およびクレードル２００が接続されていないと判定する。Ｔ１０では、３秒間の処理待ち時間の後、処理はＴ３に戻される。
【００５７】
Ｔ１１〜Ｔ１４、Ｔ１７、Ｔ１８、Ｔ２０およびＴ２１の処理は、判断対象となる電圧値がDOCK_DET#1からDOCK_DET#2になることを除いて、それぞれＴ３〜Ｔ６、Ｔ７、Ｔ８、Ｔ９およびＴ２１と同様である。そのため、その説明は省略される。
【００５８】
Ｔ１５では、Ｔ３で取得されたDOCK_DET#1とＴ１１で取得されたDOCK_DET#2が比較される。DOCK_DET#1がDOCK_DET#2と等しい場合（Ｔ１５でｙｅｓ）、処理はＴ１６に進められる。DOCK_DET#1がDOCK_DET#2と異なる場合（Ｔ１５でｎｏ）、処理はＴ３に戻される。DOCK_DET#1とDOCK_DET#2とが等しい場合、スマートフォン１００とクレードル２００とが電気的に接続されていると判断される。また、DOCK_DET#1とDOCK_DET#2とが等しい場合、Ｔ６およびＴ１４の双方においてクレードル２００が電源オンの状態であると判断される。Ｔ１５の処理を行うマイコン１００ｄは、「判断部」の一例である。Ｔ１５でｎｏの場合にＴ３に処理を進めるマイコン１００ｄは、「制御部」の一例である。
【００５９】
Ｔ１６の段階では、Ｔ１５の処理によって、スマートフォン１００およびクレードル２００のそれぞれの電源が共にオンであることが確認されている。そのため、Ｔ１６では、例えば、ＡＣ電源に接続されたスマートフォン１００が、クレードル２００に内蔵されているバッテリの充電を行う。その後、Ｔ２２において、処理は図１２に例示される処理に進められる。
【００６０】
Ｔ１９の段階では、Ｔ１８の処理によって、クレードル２００の電源がオフであることが検出されている。そのため、スマートフォン１００からクレードル２００に電力が供給される。ここで供給される電力は、少なくともクレードル２００が、後述する図１３のクレードル２００へのスマートフォン１００の接続を判断する処理フローを実行できる電力である。すなわち、スマートフォン１００は、クレードル２００に対し、プルアップ電源（P_3V_MCU）２６２およびメカスイッチ２００ｅの動作に用いられる電力を供給する。これによって、クレードル２００は、スマートフォン１００が載置されたときにクレードル２００が電源オフの状態であっても、Ｔ１９によって供給された電力によって、後述する図１３に例示される処理フローを実行できる。
【００６１】
以上で説明した図１１の処理によって、スマートフォン１００のマイコン１００ｄは、スマートフォン１００とクレードル２００とが電気的に接続されているか否かを判断している。しかしながら、スマートフォン１００とクレードル２００とが電気的に接続されている場合でも、スマートフォン１００の接点１０３ａ、接点１０３ｂとクレードル２００の接点２０３ａ、接点２０３ｂとの接触が不十分な場合がある。また、一度良好に接続されても、例えば、接点２０３ａあるいは接点２０３ｂのばねの弾性力によってスマートフォン１００が押し上げられることで、接触が不十分な状態に遷移する場合もある。そこで、図１１の処理に続いて、スマートフォン１００は、図１２に例示する処理を実行する。
【００６２】
図１２は、スマートフォン１００の接点とクレードル２００の接点との不十分な接触を検出する処理フローの一例を示す図である。不十分な接触とは、スマートフォン１００の斜め差し、すなわち、クレードル２００に対しスマートフォン１００が斜めに接続されることで、二つの接点２０３ｂの一方の接触が他方の接点２０３ｂの接触と比較して弱い（一方の接点２０３ｂの高さが他方の接点２０３ｂの高さより高い）状態を含む。以下、図１２を参照して、スマートフォン１００およびクレードル２００との不十分な接続を検出するフローが説明される。
【００６３】
Ｔ１０１では、図１１のＴ２２から処理が引き継がれる。Ｔ１０２では、図１１の処理によってDOCK状態、すなわちスマートフォン１００がクレードル２００に載置されている状態になっている。Ｔ１０３では、マイコン１００ｄは、図１０ＡのCRDL_DTPWR#信号１６１の信号レベルをＨＩＧＨに設定する。CRDL_DTPWR#信号１６１の信号レベルがＨＩＧＨに設定されることで、スイッチ１６０がオフになる。スイッチ１６０がオフになることで、プルアップ電源（P_3V_MCU）１６２からの電力供給がオフにされる。
【００６４】
Ｔ１０４では、マイコン１００ｄは、DOCK_DET#1およびDOCK_DET#2を取得する。電圧値を取得する方法は、図１１のＴ３およびＴ１１と同様のため、その説明は省略される。Ｔ１０５の処理は、図１１のＴ４およびＴ１２と同様のため、その説明は省略される。Ｔ１０４の処理を行うマイコン１００ｄは、「取得部」の一例である。
【００６５】
Ｔ１０６では、マイコン１００ｄは、Ｔ１０４で取得したDOCK_DET#1およびDOCK_DET#2が検出電圧２範囲の範囲未満であるか否か判定する。DOCK_DET#1およびDOCK_DET#2の少なくともいずれか一方が検出電圧２範囲の範囲未満である場合（Ｔ１０６でｙｅｓ）、処理はＴ１０７に進められる。DOCK_DET#1およびDOCK_DET#2のいずれもが検出電圧２範囲の範囲以上である場合（Ｔ１０６でｎｏ）、処理はＴ１０９に進められる。Ｔ１０６の処理を行うマイコン１００ｄは、「判断部」の一例である。
【００６６】
Ｔ１０７では、マイコン１００ｄは、Ｔ１０４で取得したDOCK_DET#1およびDOCK_DET#2の少なくとも一方が検出電圧２範囲の範囲未満であることにより、接点１０３ｂの少なくとも一方のインピーダンスの増加を検出する。マイコン１００ｄは、インピーダンスの増加により、スマートフォン１００およびクレードル２００の接続が不良であると判断する。例えば、DOCK_DET#1側の接点２０３ｂと接点１０３ｂ（第１の側）との接触状態がDOCK_DET#2側の接点２０３ｂと接点１０３ｂ（第２の側）との接触状態より不良である場合、第１の側の接点間の接触抵抗（インピーダンス）は第２の側の接触抵抗（インピーダンス）より大きくなり、電流が流れにくくなるので、DOCK_DET#1からの電圧が低下する。このときの電圧が、図１０Ｂで示した正常な接続を示す電圧範囲から外れるときに、マイコン１００ｄは、スマートフォン１００とクレードル２００との接続が不十分と判断する。
【００６７】
例えば、DOCK_DET#1が取得された側の接点１０３ｂおよび接点２０３ｂの接触が不十分であり、そのインピーダンスが１００Ωであるとする。図１０Ａの回路では、この場合、DOCK_DET#1として取得される電圧値は、約０．７４Ｖとなる。このDOCK_DET#1は、正常な接続と判断される検出電圧１範囲および検出電圧２範囲の最小値である０．８１Ｖ未満となる。そのため、マイコン１００ｄは、DOCK_DET#1が取得された側の接点１０３ｂの接触が不十分であると判断できる。
【００６８】
Ｔ１０８では、マイコン１００ｄは、スマートフォン１００からクレードル２００への給電、スマートフォン１００およびクレードル２００間のデータ通信等の機能を制限する。すなわち、スマートフォン１００からクレードル２００への給電等が行われている場合、マイコン１００ｄは、当該給電等を停止する。Ｔ１０８の処理を行うマイコン１００ｄは、「制御部」の一例である。
【００６９】
Ｔ１０９では、マイコン１００ｄは、Ｔ１０４で取得したDOCK_DET#1およびDOCK_DET#2のいずれもが検出電圧２範囲の範囲以上であることにより、スマートフォン１００とクレードル２００とが正常に接続されたものと判断する。
【００７０】
Ｔ１１０では、マイコン１００ｄは、Ｔ１０３でＨＩＧＨに設定したCRDL_DTPWR#信号１６１の信号レベルをＬＯＷに戻す。CRDL_DTPWR#信号１６１の信号レベルがＬＯＷに戻されることにより、プルアップ電源（P_3V_MCU）１６２がオンにされる。Ｔ１１０の処理により、マイコン１００ｄは、スマートフォン１００とクレードル２００との接続解除を検出できるようになる。Ｔ１１１において、２５０ミリ秒の待機時間の後、Ｔ１１２において、マイコン１００ｄは、スマートフォン１００がクレードル２００から外されたか否か判定する。その後、Ｔ１１３において、２５０ミリ秒の待機時間の後、処理はＴ１０３に進められる。
【００７１】
以上の説明では、図１２の処理はCRDL_DTPWR#信号１６１の信号レベルをＨＩＧＨにして、スマートフォン１００によって実行された。しかしながら、図１２の処理は、スマートフォン１００によって実行される方式に限定されない。例えば、図１２の処理は、DOCK_DTPWR信号２６１の信号レベルをＨＩＧＨにすることで、クレードル２００によって実行されてもよい。また、図１２の処理は、CRDL_DTPWR#信号１６１の信号レベルおよびDOCK_DTPWR信号２６１の信号レベルをＨＩＧＨにして、スマートフォン１００およびクレードル２００の双方で実行されてもよい。
【００７２】
図１３は、クレードル２００へのスマートフォン１００の接続状態を判断するクレードル２００の処理フローの一例を示す図である。図１３では、接点２０３ｂの一方で検出される電圧はDOCK_DET#3と記載され、他方で検出される電圧はDOCK_DET#4と記載されている。以下、図１３を参照して、スマートフォン１００の接続を検出するクレードル２００の処理フローが説明される。
【００７３】
図１３のＴ２０１の処理は、図１１のＴ１の処理と、検出に用いるスイッチがＭＲセンサ１００ｅではなくメカスイッチ２００ｅである点を除いて同様である。そのため、説明は省略される。図１３のＴ２０２からＴ２２１の処理は、図１１のＴ２からＴ２１の処理と同様である。そのため、説明は省略される。
【００７４】
図１３のＴ２１９では、マイコン２００ｄは、クレードル２００にＡＣ電源が接続されているか否か判断する。クレードル２００にＡＣ電源が接続されている場合（Ｔ２１９でｙｅｓ）、処理は、Ｔ２２２に進められる。クレードル２００にＡＣ電源が接続されていない場合（Ｔ２１９でｎｏ）、処理は、Ｔ２２３に進められる。
【００７５】
Ｔ２２２では、クレードル２００は、ＡＣ電源からの電力をスマートフォン１００に供給する。Ｔ２２３では、クレードル２００は、内蔵バッテリからの電力をスマートフォン１００に供給する。Ｔ２２２あるいはＴ２２３で供給される電力は、少なくともスマートフォン１００が、前述の図１１および図１２に例示される処理フローを実行できる電力である。すなわち、クレードル２００は、スマートフォン１００に対し、プルアップ電源（P_3V_MCU）１６２およびＭＲセンサ１００ｅの動作に用いられる電力を供給する。スマートフォン１００は、スマートフォン１００が電源オフの状態であっても、Ｔ２２２あるいはＴ２２３によって供給された電力によって、図１１および図１２に例示される処理フローを実行できる。Ｔ２２２あるいはＴ２２３の処理を行うマイコン２００ｄは、「制御部」の一例である。
【００７６】
実施形態では、接点１０３ｂあるいは接点２０３ｂの電圧の変化によってスマートフォン１００とクレードル２００との接続状態を判断した。その結果、実施形態によれば、スマートフォン１００の接点とクレードル２００の接点との不十分な接触を検出できる。
【００７７】
実施形態では、スマートフォン１００あるいはクレードル２００のいずれか一方の電源がオフの場合、他方が電源オフとなっている側に電源を供給した。その結果、電源がオフとなっていた側も、実施形態の処理フローを実行できる。
【００７８】
実施形態では、ＭＲセンサ１００ｅあるいはメカスイッチ２００ｅによって、スマートフォン１００およびクレードル２００が接近した場合に、スマートフォン１００およびクレードル２００の接続状態の検出処理に用いるプルアップ電源（P_3V_MCU）１６２あるいはプルアップ電源（P_3V_MCU）２６２が供給された。スマートフォン１００およびクレードル２００が接近していない場合、検出処理に用いられる電力が供給されないため、スマートフォン１００およびクレードル２００の消費電力が抑制される。
【００７９】
実施形態では、接点１０３ｂおよび接点２０３ｂは、それぞれ接点１０３および接点２０３の両端に設けられている。そのため、実施形態は、スマートフォン１００がクレードル２００に対して斜めに接続されている状態を好適に検出できる。
【００８０】
以上で開示した実施形態は、様々な変形が可能である。実施形態では、スマートフォン１００およびクレードル２００の双方が、スマートフォン１００およびクレードル２００間の接続状態を判断した。この接続状態の判断を、例えば、スマートフォン１００およびクレードル２００のいずれか一方が実施するように変形してもよい。
【符号の説明】
【００８１】
１００・・・スマートフォン
１００ｅ・・・ＭＲセンサ
１０３・・・コネクタ
１０３ａ、１０３ｂ、２０３ａ、２０３ｂ、１５１、１５２、２５１、２５２・・・接点
２００・・・クレードル
２０３・・・コネクタ
２００ｅ・・・メカスイッチ
１５３，１５４、２５３、２５４・・・端子
【図１】
2016031073.tif 000003
【図２】
2016031073.tif 000004
【図３】
2016031073.tif 000005
【図４】
2016031073.tif 000006
【図５】
2016031073.tif 000007
【図６】
2016031073.tif 000008
【図７】
2016031073.tif 000009
【図８】
2016031073.tif 000010
【図９Ａ】
2016031073.tif 000011
【図９Ｂ】
2016031073.tif 000012
【図１０Ａ】
2016031073.tif 000013
【図１０Ｂ】
2016031073.tif 000014
【図１０Ｃ】
2016031073.tif 000015
【図１１】
2016031073.tif 000016
【図１２】
2016031073.tif 000017
【図１３】
2016031073.tif 000018
【国際調査報告】
2016031073.tif 000019
2016031073.tif 000020